(57)【特許請求の範囲】
【請求項１】
製氷機本体(12)を構成するパネル(18)の外面に冷媒配管(56)が延設される製氷機において、
上下方向に延在する前記冷媒配管(56)に沿って前記パネル(18)の外面に凹設され、該冷媒配管(56)を収容する配管収容部(54)と、
前記配管収容部(54)に収容された冷媒配管(56)を外方から覆うように該配管収容部(54)に収容される配管カバー(62)と、
前記配管収容部(54)の相対向する両側面(54a,54a)に夫々形成され、上下に離間する第１被係合部(60)および第２被係合部(61)と、
前記配管カバー(62)における配管収容部(54)の各側面(54a)に対応する側部(78)に形成されて、前記第１被係合部(60)および第２被係合部(61)に係脱自在に係合する第１係合部(64)および第２係合部(66)とを備え、
前記各被係合部(60,61)は、配管収容部(54)の側面(54a)から内方へ突出する部位に上下方向に開口する係合孔(68)を有し、
前記配管カバー(62)の第１係合部(64)は、配管カバー(62)の側部(78)のパネル(18)側において下方に延出する第１係合片(64a)で構成され、
前記配管カバー(62)の第２係合部(66)は、配管カバー(62)の側部(78)におけるパネル(18)側で第１の幅寸法(L)で下方に延出する第２係合片(66a)と、該第２係合片(66a)の下端であって側部(78)のパネル(18)側に偏倚した箇所から前記第１の幅寸法(L)より狭い第２の幅寸法(l)で下方へ延出する回動係止片(66b)と、第２係合部(66)のパネル(18)から離間する側における第２係合片(66a)および回動係止片(66b)の間において上方に向かうにつれて該パネル(18)から離間するよう傾斜して設けられ、前記第２被係合部(61)が当接して前記パネル(18)に対して配管カバー(62)を傾斜姿勢で支持する段部(82)とから構成され、
前記第２被係合部(61)の係合孔(68)に前記回動係止片(66b)を挿入し、該第２被係合部(61)に当接させた段部(82)を支点として前記配管カバー(62)を回動させ、前記第１係合部(64)が対応する第１被係合部(60)に係合可能な位置に臨むよう前記パネル(18)に対し平行姿勢とした配管カバー(62)を下方へ移動し、前記第１,第２係合片(64a,66a)を対応する第１,第２被係合部(60,61)の係合孔(68,68)に挿入することで、配管カバー(62)が配管収容部(54)に取付けられる
ことを特徴とする製氷機。
【請求項２】
前記第１係合部(64)は、前記配管カバー(62)における前記第２係合部(66)の上方に設けられると共に、前記第１係合片(64a)は第１の幅寸法(L)に形成される請求項１記載の製氷機。
【請求項３】
前記配管カバー(62)は、前記冷媒配管(56)を押圧した状態で前記パネル(18)に取付けられる請求項１または２記載の製氷機。
【発明の詳細な説明】
【技術分野】
【０００１】
この発明は、製氷機本体を構成するパネルの外面に延設された冷媒配管を覆う配管カバーを備えた製氷機に関するものである。
【背景技術】
【０００２】
所要形状の氷塊を連続的に製造する装置として、種々の構成に係る自動製氷機が提案されている。例えば、下方に開放する多数の製氷小室を水皿により開閉自在に下方から閉成し、この製氷小室に水皿を介して製氷水を噴射供給することにより、当該製氷小室中に氷塊を徐々に形成する所謂クローズドセル方式の噴射式製氷機が広く普及している。また、下方に開放する多数の製氷小室に、水皿を介することなく製氷水を直接供給し、氷塊を該製氷小室中に形成する所謂オープンセル方式の噴射式製氷機や、直立または傾斜配置した製氷板の表面または裏面に製氷水を流下供給し、当該製氷板面上に板氷を形成する流下式製氷機等も知られている。
【０００３】
前記何れの機種の製氷機であっても、一般的には、パネルにより構成された製氷機本体の内部に、冷凍機構を収容する機械室と該機械室の例えば上方に設けられて製氷機構を収容する製氷室とを備えている。前記機械室の冷凍機構は、圧縮機や凝縮器等から構成され、該冷凍機構で生成された冷媒は、送り用の冷媒配管を介して機械室の冷凍機構(蒸発器)へ送られるようになっている。すなわち冷媒配管は、機械室から製氷機本体の外部に導出し、該本体の例えば後面パネルの外面に沿って上方に延在した後、前記製氷室内に導入される。そして、前記冷媒配管は、製氷機構を構成する蒸発器の入口側で接続され、該蒸発器へ冷媒を供給するようになっている。更に、蒸発器の出口側から戻り用の冷媒配管が導出しており、該戻り用の冷媒配管は、前記送り用の冷媒配管と同様に後面パネルの外面に沿って配設された後、前記冷凍機構に接続している。すなわち、製氷機構の製氷部と熱交換した冷媒は、戻り用の冷媒配管を介して冷凍機構へ戻されるようになっている。なお、前記製氷機構を構成する電気機器は、前記機械室に設置された電源ユニット等の電装箱に配線を介して接続されている。そして、この配線についても、前記冷媒配管と共に後面パネルに沿って配設されている。
【０００４】
ところで、従来の製氷機では、後面パネルに配設された冷媒配管や配線を保護するべく、該後面パネルに配管カバーが設けられている。この配管カバーは、特許文献１に示すように、例えば、一面(後面パネルに臨む側の面)が開放し、その開放縁を外方に折曲してフランジ部とした箱状体であって、該フランジ部に穿設された複数の挿通孔の夫々に背面側から挿通した各ネジを、後面パネルに設けられたネジ孔に夫々螺挿することで、配管カバーが後面パネルに固定されるようになっている。
【特許文献１】特開２００５−１２７５７４号公報
【発明の開示】
【発明が解決しようとする課題】
【０００５】
ところが、上記の如く、複数のネジにより配管カバーを固定する構成では、配管カバーを後面パネルに着脱する度に煩雑な作業が強いられ、メンテナンス者にとって大きな負担となる。また、従来の配管カバーは、ネジ孔を開設するためのフランジ部が必要となるが、配管カバーを取付ける際に、このフランジ部で前記冷媒配管や配線を挟み込んでしまい、作業能率が低下する問題も生じていた。
【０００６】
そこで、本発明は、従来技術に内在する前記問題に鑑み、これらを好適に解決するべく提案されたものであって、ネジ等を用いることなく、配管カバーをパネルに容易に着脱し得るようにした製氷機を提供することを目的とする。
【課題を解決するための手段】
【０００７】
前述した課題を解決し、所期の目的を好適に達成するため、本発明に係る製氷機は、
製氷機本体を構成するパネルの外面に冷媒配管が延設される製氷機において、
上下方向に延在する前記冷媒配管に沿って前記パネルの外面に凹設され、該冷媒配管を収容する配管収容部と、
前記配管収容部に収容された冷媒配管を外方から覆うように該配管収容部に収容される配管カバーと、
前記配管収容部の相対向する両側面に夫々形成され、上下に離間する第１被係合部および第２被係合部と、
前記配管カバーにおける配管収容部の各側面に対応する側部に形成されて、前記第１被係合部および第２被係合部に係脱自在に係合する第１係合部および第２係合部とを備え、
前記各被係合部は、配管収容部の側面から内方へ突出する部位に上下方向に開口する係合孔を有し、
前記配管カバーの第１係合部は、配管カバーの側部のパネル側において下方に延出する第１係合片で構成され、
前記配管カバーの第２係合部は、配管カバーの側部におけるパネル側で第１の幅寸法で下方に延出する第２係合片と、該第２係合片の下端であって側部のパネル側に偏倚した箇所から前記第１の幅寸法より狭い第２の幅寸法で下方へ延出する回動係止片と、第２係合部のパネルから離間する側における第２係合片および回動係止片の間において上方に向かうにつれて該パネルから離間するよう傾斜して設けられ、前記第２被係合部が当接して前記パネルに対して配管カバーを傾斜姿勢で支持する段部とから構成され、
前記第２被係合部の係合孔に前記回動係止片を挿入し、該第２被係合部に当接させた段部を支点として前記配管カバーを回動させ、前記第１係合部が対応する第１被係合部に係合可能な位置に臨むよう前記パネルに対し平行姿勢とした配管カバーを下方へ移動し、前記第１,第２係合片を対応する第１,第２被係合部の係合孔に挿入することで、配管カバーが配管収容部に取付けられることを特徴とする。
請求項１の発明によれば、ネジ等を用いることなく、配管カバーをパネルに容易に着脱することができ、作業効率を向上し得る。また、従来の如くフランジ部を設ける必要がないので、該フランジ部で冷媒配管を挟み込んでしまうと云ったことがない。
また、配管カバーの段部を第２被係合部に引っ掛け、これを支点に配管カバーを回動させて取付けるようにしたので、該カバーの取付けをスムーズに行ない得る。また、配管カバーを取付ける際、第２被係合部に段部を引っ掛けて配管カバーの荷重を支持し得るので、作業者の負担を軽減し得る。
【０００８】
請求項２に係る製氷機では、前記第１係合部は、前記配管カバーにおける前記第２係合部の上方に設けられると共に、前記第１係合片は第１の幅寸法に形成されることを要旨とする。
請求項２の発明によれば、配管カバーの段部を第２被係合部に引っ掛け、これを支点に配管カバーを回動させて取付けるようにしたので、該カバーの取付けをスムーズに行ない得る。また、配管カバーを取付ける際、第２被係合部に段部を引っ掛けて配管カバーの荷重を支持し得るので、作業者の負担を軽減し得る。
【０００９】
請求項３に係る製氷機では、前記配管カバーは、前記冷媒配管を押圧した状態で前記パネルに取付けられる。
請求項３の発明によれば、配管カバーは冷媒配管を押圧した状態でパネルに取付けられるので、振動によるビビリ音の発生を抑制し得る。
【発明の効果】
【００１０】
本発明に係る製氷機によれば、ネジ等を用いることなく配管カバーをパネルに容易に着脱し得る。
【発明を実施するための最良の形態】
【００１１】
次に、本発明に係る製氷機につき、好適な実施例を挙げて、添付図面を参照しながら以下説明する。なお、実施例では、傾動可能な製氷機構を備えた所謂クローズドセル方式の噴射式製氷機の場合で説明する。
【実施例】
【００１２】
図１に示すように、実施例に係る噴射式製氷機１０は、製氷機本体１２の４面が、前面パネル１４、左右の側面パネル１６,１６および後面パネル１８により画成されている。製氷機本体１２の内部上方に製氷機構２０が配設された製氷室２２が構成されると共に、この製氷機構２０で製氷された氷塊を貯蔵する貯氷庫２４が製氷室２２の下方に連通して設けられている。前記貯氷庫２４の下方には、仕切底板２６を介して機械室２８が画成され、該機械室２８に冷凍機構が設置されると共に、電源ユニットや制御手段等の電装箱(何れも図示せず)が設置されている。前記製氷機構２０は、製氷機本体１２の内部上方に水平に配設した取付枠３２の下面に水平に取付けられ、下向きに開口する製氷小室(図示せず)を多数画成した製氷部３４と、この製氷部３４の下方に傾動自在に配設された水皿３６と、この水皿３６の下側に一体に配設されて所要量の製氷水を貯留する製氷水タンク３８とから基本的に構成されている。前記製氷部３４の上面には、前記冷凍機構から導出した蒸発器４０が密着的に蛇行配置され、製氷運転時に冷媒を循環させて製氷小室を強制冷却し得るようになっている。
【００１３】
前記取付枠３２には支持板４２が垂下固定され、一体的に構成した水皿３６および製氷水タンク３８が、該支持板４２に片持式に傾動自在に枢支されて前記製氷部３４の直下に配置される。前記水皿３６は、製氷運転時には水平に位置して、製氷小室を下方から閉塞し、除氷運転時には水皿傾動機構４４により付勢され、斜め下方に傾動して製氷小室を開放する。除氷運転において、前記製氷小室から落下した氷塊は、水皿３６の傾斜面上を滑落し、前記貯氷庫２４中に貯蔵される。また、前記製氷水タンク３８の側部には、ポンプモータ４６が配設され、該製氷水タンク３８に貯留した製氷水を吸引して水皿３６に圧送し得るようになっている。前記水皿３６には、製氷小室の夫々に対応して、製氷水を噴射供給する噴射孔と、未氷結水を回収する戻り孔(何れも図示せず)とが多数穿設され、前記ポンプモータ４６により圧送された製氷水を、各噴射孔から各製氷小室内に対応的に噴射供給することにより、冷却されている各製氷小室内に氷塊を生成させる。そして、氷結するに至らなかった製氷水(未氷結水)は、前記水皿３６の戻り孔を介して製氷水タンク３８に回収されて再循環に供されるようになっている。
【００１４】
なお、前記貯氷庫２４の前面には、該貯氷庫２４に貯蔵された氷塊の取出し口となる開口部４８が開設され、この開口部４８は製氷機本体１２に配設された断熱扉５０により開閉自在に閉成し得るようになっている。また、前記機械室２８に配設される冷凍機構は、凝縮器、圧縮機およびファンモータ等(何れも図示せず)から構成される。
【００１５】
図２に示すように、前記製氷機本体１２の後部には、その下側に排出口５２ａが複数開設された排出パネル５２が設けられると共に、その上側に前記後面パネル１８が配設されている。後面パネル１８には、上下方向に延在する配管収容部５４が図２の左側に偏倚して所要深さで凹設され、後述する冷媒配管５６や配線５８を収容案内するよう構成される。配管収容部５４は、図３に示すように、その下端が前記後面パネル１８における機械室２８に対応する箇所に位置すると共に、その上端が後面パネル１８の上縁に到達し、前記製氷室２２の上下方向全体をカバーし得るよう延在している。
【００１６】
前記配管収容部５４の深さ寸法は、少なくとも冷媒配管５６および配線５８を収容し得る深さに設定される。また、配管収容部５４の相対向する長手方向(延在方向)の両内側面５４ａ,５４ａには、夫々、上下方向(延在方向)に離間して第１被係合部６０および第２被係合部６１が設けられている。各被係合部６０,６１は、図４に示すように、配管収容部５４の内側面５４ａから僅かに内方へ突出して平面凸円弧形状に形成されると共に、上下方向に開口して後述する配管カバー６２の第１,第２係合部６４,６６の挿通を許容する係合孔６８が開設されている。なお、配管収容部５４の上縁部側には、上方が開放した矩形状の設置部７０が開設され、該設置部７０に後述するブロック体７２が着脱自在に配設される。また、配管収容部５４の下部側であって前記機械室２８に対応する箇所に、該機械室２８と外部とを連通する連通孔７４が複数開設され、各連通孔７４に冷媒配管５６や配線５８が挿通されている(図３参照)。
【００１７】
前記製氷室２２の蒸発器４０と前記機械室２８の冷凍機構とは、冷媒配管５６,５６を介して連通接続されている。この冷媒配管５６は、前記冷凍機構から導出して前記蒸発器４０の入口側に接続する送り用の冷媒配管５６および蒸発器４０の出口側から導出して、前記冷凍機構に接続する戻り用の冷媒配管５６から構成され、両配管５６,５６は、前記配管収容部５４に沿って後面パネル１８の上下方向に延在している。なお、冷媒配管５６は、所要厚みを有し、弾性変形可能な断熱材で被覆されている。前記ポンプモータ４６や水皿傾動機構４４のモータあるいはスイッチ等の電気機器は、配線５８を介して前記電装箱と接続され、該配線５８が前記冷媒配管５６,５６と共に前記配管収容部５４に収容されている。
【００１８】
図３に示すように、前記配管収容部５４の設置部７０には、製氷機本体１２とは別体に形成された例えばポリエチレン等の発泡体からなる断熱体で構成されたブロック体７２が着脱自在に配設されている。前記ブロック体７２には、冷媒配管５６,５６の挿通を許容する第１切欠部７２ａが下端面から鉛直方向に切り込まれると共に、配線５８の挿通を許容する第２切欠部７２ｂが一方の側端面から水平方向に切り込まれている(図２参照)。両切欠部７２ａ,７２ｂは、冷媒配管５６および配線５８を挿入すると、冷媒配管５６の形状に合わせて弾性変形して密着的に保持するよう構成される。前記ブロック体７２は、第２切欠部７２ｂに配線５８を保持した状態で、上方から前記設置部７０に嵌合され、前記第１切欠部７２ａに冷媒配管５６が挿入されるようになっている。
【００１９】
前記冷媒配管５６,５６および配線５８を保護する配管カバー６２は、金属または難燃性の材料で成形された上下方向に延在する長尺な箱状体であって、冷媒配管５６,５６および配線５８を外方から覆うよう構成される。前記配管カバー６２は、配管収容部５４の延在長さと略同一寸法のカバー本体７６と、該カバー本体７６の左右の端部を折曲形成した側部７８,７８とを備え、平断面において後面パネル１８側に開放するコ字状に形成されている。また、配管カバー６２の横幅寸法は、前記配管収容部５４の横幅寸法(両内側面５４ａ,５４ａ間の幅)より僅かに小さく設定され、配管カバー６２を配管収容部５４の内部へ嵌め込み得るようになっている。更に、配管カバー６２の側部７８の短手方向の寸法は、前記冷媒配管５６,５６および配線５８を収容し、かつ、配管カバー６２を配管収容部５４に嵌合した際に、前記カバー本体７６における後面パネル１８側の面が冷媒配管５６,５６(具体的には冷媒配管５６を被覆している断熱材)に当接して押圧するよう設定されている(図３(ｃ)参照)。前記側部７８には、その下部側の縁部が下方に向かうにつれて後面パネル１８に離間する方向へ傾斜する傾斜部７８ａが形成されている。この傾斜部７８ａを設けることで、配管カバー６２を配管収容部５４に取付ける際に、側部７８の下方が配管収容部５４に干渉するのを防止している(図３(ａ)参照)。
【００２０】
図５に示すように、前記配管カバー６２の各側部７８には、上下に離間して前記配管収容部５４の第１,第２被係合部６０,６１に係脱自在に係合する一対の第１,第２係合部６４,６６が設けられている。すなわち、各側部７８に、後面パネル１８側に開口する切欠き状の逃げ部８０が上下に離間して２つ設けられ、配管カバー６２を配管収容部５４に取付ける際に、前記第１,第２被係合部６０,６１が配管カバー６２の側部７８に干渉しないようになっている。そして、前記第１,第２係合部６４,６６が前記配管カバー６２の側部７８における各逃げ部８０の上方に設けられる。上方に位置する第１係合部６４は、配管カバー６２の側部７８における後面パネル１８側で下方に延出する第１係合片６４ａで構成される。この第１係合片６４ａは、前記対応する上側の第１被係合部６０における係合孔６８の開口寸法より僅かに小さな幅寸法(第１の寸法Ｌ(図５参照))に設定され、その下端が前記逃げ部８０を指向している。そして、前記第１係合片６４ａが第１被係合部６０の係合孔６８に挿入されて、第１係合部６４が第１被係合部６０に係合するようになっている。なお、前記第１係合片６４ａの下端は湾曲形成されており、前記第１被係合部６０の係合孔６８にスムーズに挿入し得るよう図られている。
【００２１】
下方に位置する第２係合部６６は、配管カバー６２の側部７８における後面パネル１８側で第１の幅寸法Ｌで下方に延出する第２係合片６６ａと、該第２係合片６６ａの下端であって後面パネル１８側に偏倚した箇所から前記第１の幅寸法Ｌより狭い第２の幅寸法ｌで下方へ延出する回動係止片６６ｂとから構成される。すなわち、第２係合部６６は、第１係合部６４と同様な第２係合片６６ａの下端から更に小幅な回動係止片６６ｂが一体成形されており、第２係合部６６全体の上下寸法は、第１係合部６４より大きくなっている。また、前記回動係止片６６ｂを第２係合片６６ａより狭い第２の幅寸法ｌで前方に偏倚して形成することで、回動係止片６６ｂおよび第２係合片６６ａの連結部分に段部８２が構成されている。
【００２２】
すなわち、段部８２は、図５に示すように、第２係合部６６の後面パネル１８から離間する側に形成され、上方に向かうにつれて後面パネル１８から離間する方向へ傾斜している。そして、配管カバー６２を配管収容部５４に取付ける際に、回動係止片６６ｂを前記対応する第２被係合部６１に挿入し、前記段部８２を該第２被係合部６１の上端縁に引っ掛け得るようになっている。これにより、配管カバー６２を傾斜姿勢で支持することができると共に、前記段部８２を支点として、前記配管カバー６２を回動させることが可能となる。更に、第２係合片６６ａを第２被係合部６１に挿入する際には、段部８２に沿って配管カバー６２全体を後面パネル１８側に近接するよう下方へスライドさせることが可能となる。
【００２３】
ここで、第１,第２係合部６４,６６と、第１,第２被係合部６０,６１の位置関係は、以下の如く規定されている。すなわち、図６に示すように、第１被係合部６０の上端から第２被係合部６１の上端までの離間距離ｍは、前記段部８２から第１係合片６４ａの下端までの離間距離Ｍよりも小さく設定される。これにより、段部８２を第２被係合部６１に引っ掛けた状態で配管カバー６２を回動させ、カバー本体７６を後面パネル１８と略平行な姿勢としたときに、第１被係合部６０が上方の逃げ部８０に臨んで、第１係合片６４ａの下方に位置することが可能となる(図３(ｂ)参照)。すなわち、第１係合片６４ａが、第１被係合部６０に対し係合可能な位置に臨み得る。
【００２４】
(実施例の作用)
次に、実施例に係る噴射式製氷機１０の作用について以下説明する。配管カバー６２を配管収容部５４に取付ける場合には、該配管カバー６２の下部が前方へ突出するよう傾斜させ、前記第２係合部６６を配管収容部５４に臨ませる。次に、配管カバー６２の下方の逃げ部８０に第２被係合部６１を臨ませ、前記回動係止片６６ｂを第２被係合部６１の係合孔６８に挿入する。そして、第２被係合部６１の上端部に段部８２を引っ掛ける(図３(ａ)参照)。次に、前記段部８２を支点とし、配管カバー６２の上部を後面パネル１８側へ近接移動するよう回動させ、図３(ｂ)に示すように、配管カバー６２を後面パネル１８に対し平行姿勢とする。このとき、配管カバー６２の上方の逃げ部８０を介して、第１被係合部６０が第１係合部６４の下方に臨む。
【００２５】
次いで、配管カバー６２を下方へ押しやり、第１係合部６４の第１係合片６４ａおよび第２係合部６６の第２係合片６６ａを対応する被係合部６０,６１に挿入させる。このとき、図３(ｃ)に示すように、配管カバー６２は、段部８２が第２被係合部６１の上端を摺動することで案内され、第２係合部６６の第２係合片６６ａが第２被係合部６１の係合孔６８にスムーズに挿入される。これと共に、第１係合部６４の第１係合片６４ａが第１被係合部６０の係合孔６８に挿入される。これより、配管カバー６２の第１,第２係合部６４,６６が第１,第２被係合部６０,６１に係合し、配管カバー６２は配管収容部５４に嵌合状態で取付けられる。
【００２６】
このように、実施例に係る噴射式製氷機１０では、配管カバー６２の第１,第２係合部６４,６６を第１,第２被係合部６０,６１に係合するだけで、容易に配管カバー６２を配管収容部５４に取付けることができる。しかも、配管カバー６２を配管収容部５４に嵌合して取付けるようにしたので、取付け時に配管カバー６２を位置決めでき、作業効率が向上される。更に、配管カバー６２が配管収容部５４に収容されて、該カバー６２が後面パネル１８から外方に突出する量が抑制されるので(図３(ｃ)参照)、配管カバー６２が邪魔となることがなく、噴射式製氷機１０のコンパクト化を図り得る。配管カバー６２が配管収容部５４に取付けられると、該配管カバー６２のカバー本体７６における後面パネル１８側の面が冷媒配管５６,５６を所要圧で押圧する。これにより、冷媒配管５６,５６に被覆された断熱材の弾性力により配管カバー６２が恒常的に押された状態となって、第１,第２係合部６４,６６と第１,第２被係合部６０,６１とは前後方向に隙間なく係合し、ビビリ音が発生するのを抑制し得る。
【００２７】
次に、配管カバー６２を取外す際には、前述とは逆の手順で行なわれる。すなわち、配管カバー６２を持ち上げ、第１係合部６４および第２係合部６６の係合片６４ａ,６６ａを第１,第２被係合部６０,６１から抜き出す。このとき、第１係合部６４(第１係合片６４ａ)は全体が第１被係合部６０から抜き出される一方、第２係合部６６は、回動係止片６６ｂが第２被係合部６１に挿入した状態にある。次いで、配管カバー６２の上部を手前(後面パネル１８から離間する方向)へ移動させ、前記第２被係合部６１に引っ掛けた段部８２を支点として配管カバー６２を回動させる。そして、配管カバー６２を斜め上方へ持ち上げて、回動係止片６６ｂを第２被係合部６１から引き抜くことで、配管カバー６２が配管収容部５４から取外される。すなわち、配管カバー６２を取外す際にも、該カバー６２を回動させて第１,第２係合部６４,６６および第１,第２被係合部６０,６１の係合を解除するだけでよく、作業が非常にシンプルとなる。
【００２８】
以上に説明したように、実施例に係る噴射式製氷機１０によれば、ネジ等を用いることなく、配管カバー６２を後面パネル１８に容易に着脱することができ、作業が極めてシンプル化され作業効率を向上し得る。また、従来の如く、フランジ部を設ける必要がなく、配管カバー６２を取付ける際に、フランジ部が配線５８や冷媒配管５６,５６を挟み込んでしまい作業に支障を来すといったことがない。また、配管カバー６２の取付け・取外しに際し、第２被係合部６１に段部８２を引っ掛けることで、作業者はカバー全体の重量を支えつつ作業する必要がなく、作業時の負担を低減し得る。
【００２９】
なお、実施例では、噴射式製氷機１０を例に説明したが、本発明に係る製氷機としては、冷媒配管５６がパネルの外面に配設された構成の製氷機であれば、流下式製氷機やドラム式製氷機等、如何なるタイプの製氷機であってもよい。更に、実施例では、後面パネル１８に配管収容部５４・冷媒配管５６を設けた場合を例示したが、例えば、側面パネル１６に配管収容部５４等を設けてもよい。
【００３０】
実施例では、第１,第２被係合部６０,６１を凸円弧形状としたものを採用したが、例えば、配管収容部５４の両内側面５４ａ,５４ａから突出するピン等の突起で第１,第２被係合部を構成してもよい。実施例では、配管カバー６２の側部７８,７８がカバー本体７６に対して略直角に折曲した場合を例示したが、例えば、側部７８,７８をカバー本体７６に対して鈍角に折曲させて、該側部７８,７８が開放端側へ向けて互いに離間するよう拡開した構成としてもよい。これにより、配管カバー６２を回動させる際に、側部７８,７８が配管収容部５４の内側面５４ａ,５４ａに案内されて、第１,第２係合部６４,６６を第１,第２被係合部６０,６１に確実に係合させることができる。しかも、配管カバー６２を取付けた状態において、前記側部７８,７８が配管収容部５４に接触した状態となり、配管カバー６２がガタつくのを抑制し得る。
【００３１】
実施例では、段部８２を備える第２係合部６６を配管カバー６２の下方に設けた場合を示したが、第２係合部６６を上方に設けてもよい。この場合、配管カバー６２の上部側を後面パネル１８側へ倒し、第２係合部６６の段部８２を第２被係合部６１に引っ掛ける。そして、配管カバー６２を回動させて下方の第１係合部６４を第１被係合部６０の上方に位置させて、配管カバー６２を下方へスライドさせることで該カバー６２が後面パネル１８に取付けられる。更に、実施例では、配管カバー６２の側部７８,７８に第１,第２係合部６４,６６を形成したが、カバー本体７６の端縁部に後面パネル１８側へ突出する第１,第２係合部を形成して、側部７８,７８を省略することも可能である。
【図面の簡単な説明】
【００３２】
【図１】実施例に係る噴射式製氷機を上部のパネルを取外した状態で正面側から示す概略斜視図である。
【図２】実施例に係る噴射式製氷機を後面側から見た斜視図であって、配管カバーを取外した状態で示す。
【図３】配管カバーを配管収容部に取付ける様子を示す噴射式製氷機の縦断側面図であって、(ａ)は第２被係合部に回動係止片を挿入した状態を示し、(ｂ)は配管カバーを回動させて起立姿勢とした状態を示し、(ｃ)は第１,第２係合部を第１,第２被係合部に係合させて配管カバーを取付けた状態を示す。
【図４】噴射式製氷機の配管収容部を示す拡大平面図である。
【図５】配管カバーを示す全体側面図である。
【図６】配管カバーを取外した状態で示す噴射式製氷機の縦断側面図である。
【符号の説明】
【００３３】
１２ 製氷機本体，１８ 後面パネル(パネル)，２０ 製氷機構
５４ 配管収容部，５４ａ 内側面(側面)，５６ 冷媒配管
６０ 第１被係合部，６１ 第２被係合部，６２ 配管カバー
６４ 第１係合部，６４ａ 第１係合片，６６ 第２係合部
６６ａ 第２係合片，６６ｂ 回動係止片，６８ 係合孔，７８ 側部
８２ 段部，Ｌ 第１の幅寸法，ｌ 第２の幅寸法
【図１】
0005052311.tif 000002
【図２】
0005052311.tif 000003
【図３】
0005052311.tif 000004
【図４】
0005052311.tif 000005
【図５】
0005052311.tif 000006
【図６】
0005052311.tif 000007